(57)【特許請求の範囲】
【請求項１】
方形状の底板の対向する側縁部にヒンジ部を介して１対の側板がそれぞれ外方側に展開可能に取り付けられるとともに、前記底板の対向する他の側縁部にヒンジ部を介して１対の端板がそれぞれ外方側に展開可能に取り付けられた構造の組立容器において、
前記側板の左右の側端面の上端部のそれぞれに係止爪が形成されるとともに、前記端板の左右の側縁部の上端位置に前記係止爪に係止する係止片が係脱機構部を介して係脱可能に取り付けられ、
前記係脱機構部は、前記端板の外面側の上部位置において上下方向に一定幅で摺動可能に取り付けられた摺動部材と、この摺動部材の左右両端部に形成された前記係止片と、前記摺動部材を上方に付勢する弾性部材とで構成されるとともに、これら摺動部材、係止片及び弾性部材が樹脂部材によって一体形成されており、
展開した状態から前記両側板及び前記両端板をほぼ垂直まで立て起こした状態で、前記側板の左右の側端面と前記端板の左右の側縁部とがそれぞれ当接するとともに、この状態で前記側板に形成された係止爪に前記端板に形成された係止片が係合する一方、前記摺動部材を前記弾性部材の弾性力に抗して下方に摺動させることによって、前記各係止片と前記両側板のそれぞれに形成された係止爪との係合が解除されることを特徴とする展開可能な組立容器。
【請求項２】
前記側板の左右の側端面に外方に突出する第１の嵌合突起部が形成されるとともに、前記端板の左右の側縁部に前記第１の嵌合突起部に嵌合する第１の嵌合溝部が形成され、
展開した状態から前記両側板及び前記両端板をほぼ垂直まで立て起こした状態で、前記側板に形成された第１の嵌合突起部が前記端板に形成された第１の嵌合溝部に嵌合することを特徴とする請求項１記載の展開可能な組立容器。
【請求項３】
方形状の底板の対向する側縁部にヒンジ部を介して１対の側板がそれぞれ外方側に展開可能に取り付けられるとともに、前記底板の対向する他の側縁部にヒンジ部を介して１対の端板がそれぞれ外方側に展開可能に取り付けられた構造の組立容器において、
前記側板の左右の側端面の上端部のそれぞれに係止爪が形成されるとともに、前記端板の左右の側縁部の上端位置に前記係止爪に係止する係止片が係脱機構部を介して係脱可能に取り付けられ、
前記係脱機構部は、前記端板の外面側の上部位置における左右方向の中央部で固定されるとともに、この固定部にそれぞれ弾性部材を介して連接された左側摺動部材及び右側摺動部材と、これら左側摺動部材及び右側摺動部材の左側端部及び右側端部にそれぞれ一体的に形成された前記係止片とで形成され、
展開した状態から前記両側板及び前記両端板をほぼ垂直まで立て起こした状態で、前記側板の左右の側端面と前記端板の左右の側縁部とがそれぞれ当接するとともに、この状態で前記側板に形成された係止爪に前記端板に形成された係止片が係合する一方、前記左側摺動部材及び右側摺動部材を前記各弾性部材の弾性力に抗して前記固定部側にそれぞれ摺動させることによって、前記各係止片と前記両側板に形成された係止爪との係合がそれぞれ解除されることを特徴とする展開可能な組立容器。
【請求項４】
前記ヒンジ部に連なる前記底板の各側縁部に上方に開口した第２の嵌合溝部が形成されるとともに、前記ヒンジ部に連なる前記各側板及び端板のそれぞれの下端面であって前記第２の嵌合溝部に対向する位置に第２の嵌合突起部が形成され、
展開した状態から前記両側板をほぼ垂直まで立て起こし、この両側板の下端面に形成された第２の嵌合突起部を前記底板に形成された第２の嵌合溝部に嵌合して起立させ、この状態で前記端板をほぼ垂直まで立て起こし、この両端板の下端面に形成された第２の嵌合突起部を前記底板に形成された第２の嵌合溝部に嵌合して起立させることを特徴とする請求項１、２又は３記載の展開可能な組立容器。
【請求項５】
前記底板の下面外周部に、容器として組み立てたときの前記側板及び端板の各上端部を嵌合する第３の嵌合溝部が形成されたことを特徴とする請求項１、２、３又は４記載の展開可能な組立容器。
【請求項６】
方形状の底板と、この底板の対向する側縁部に設けられた一対の側板と、前記底板の対向する他の側縁部に設けられた一対の端板とからなる組立容器における前記側板と前記端板との係止構造であって、
前記側板の左右の側端面の上端部のそれぞれに係止爪が形成されるとともに、前記端板の左右の側縁部の上端位置に前記係止爪に係止する係止片が係脱機構部を介して係脱可能に取り付けられ、
前記係脱機構部は、前記端板の外面側の上部位置において上下方向に一定幅で摺動可能に取り付けられた摺動部材と、この摺動部材の左右両端部に一体的に形成された前記係止片と、前記摺動部材を上方に付勢する弾性部材とで構成されるとともに、これら摺動部材、係止片及び弾性部材が樹脂部材によって一体形成されており、
前記側板の左右の側端面と前記端板の左右の側縁部とがそれぞれ当接した状態において、前記側板に形成された係止爪に前記端板に形成された係止片が係合する一方、前記摺動部材を前記弾性部材の弾性力に抗して下方に摺動させることによって、前記各係止片と前記両側板のそれぞれに形成された係止爪との係合が解除されることを特徴とする組立容器の係止構造。
【請求項７】
前記側板の左右の側端面に外方に突出する第１の嵌合突起部が形成されるとともに、前記端板の左右の側縁部に前記第１の嵌合突起部に嵌合する第１の嵌合溝部が形成され、
前記側板の左右の側端面と前記端板の左右の側縁部とがそれぞれ当接した状態において、前記側板に形成された第１の嵌合突起部が前記端板に形成された第１の嵌合溝部に嵌合することを特徴とする請求項６記載の組立容器の係止構造。
【請求項８】
方形状の底板と、この底板の対向する側縁部に設けられた一対の側板と、前記底板の対向する他の側縁部に設けられた一対の端板とからなる組立容器における前記側板と前記端板との係止構造であって、
前記側板の左右の側端面の上端部のそれぞれに係止爪が形成されるとともに、前記端板の左右の側縁部の上端位置に前記係止爪に係止する係止片が係脱機構部を介して係脱可能に取り付けられ、
前記係脱機構部は、前記端板の外面側の上部位置における左右方向の中央部で固定されるとともに、この固定部にそれぞれ弾性部材を介して連接された左側摺動部材及び右側摺動部材と、これら左側摺動部材及び右側摺動部材の左側端部及び右側端部にそれぞれ一体的に形成された前記係止片とで形成され、
前記側板の左右の側端面と前記端板の左右の側縁部とがそれぞれ当接した状態において、前記側板に形成された係止爪に前記端板に形成された係止片が係合する一方、前記左側摺動部材及び右側摺動部材を前記各弾性部材の弾性力に抗して前記固定部側にそれぞれ摺動させることによって、前記各係止片と前記両側板に形成された係止爪との係合がそれぞれ解除されることを特徴とする組立容器の係止構造。
【発明の詳細な説明】
【０００１】
【発明の属する技術分野】
本発明は、合成樹脂製の展開可能な組立容器に係り、より詳細には、容器を組み立てて物品を収納し、積み重ねた状態で保管や輸送を行うとともに、未使用時には平板状に展開して回収でき、保管時の容積を小さくできる展開可能な組立容器及び組立容器の係止構造に関する。
【０００２】
【従来の技術】
従来より、小物品を輸送する場合には、その小物品を容器に収納し、これを積み重ねてトラック等に積載して、目的地まで輸送している。そして、輸送し終えると、空になった容器を再び積み重ねてトラック等に積載して、返送していた。
【０００３】
この場合、空になった容器をそのまま積載して返送するのでは、輸送効率が極めて悪いことから、返送時には展開することのできる組立容器が従来より提案されている（実公昭４９−４７３２０号公報参照）。
【０００４】
この組立容器（組立自在コンテナ）は、合成樹脂材により底板の四周にその全長にわたってその内側からえぐるようにして断面略Ｕ字状のヒンジ部を形成し、かつヒンジ部を介して側板及び端板を設け、ヒンジ部の内側の下方には座面を底板の全長にわたって形成し、側板の両側縁の内面に突縁を突出し、この突縁の端面には側板と平行に数個の突起を設け、一方の側板の両側縁には突起を嵌合させる数個の透孔を設け、端板の両側縁には側板の突縁の上縁端に係止させる係止爪を外方に突出して形成したものである。
【０００５】
【発明が解決しようとする課題】
このような構造の組立容器では、端板に外側より力が加わった場合、端板が内側に倒れて収容物を押圧したり、また端板が内側に倒れることによって側板と端板との係合が外れ、側板が外側に倒れるといった問題があった。このことは、容器をパレットに積載して使用するパレタイザ等の自動化機器での取り扱いに適さない。
【０００６】
また、容器の組立時、端板を容器の内方側から外方側に押圧しながら側板に係合させる必要があることから、底面に内容積一杯の物品を置いた状態で容器を組み立てるとか、一方の端板を組み立てないで（展開した状態で）物品を押し込んだ後、展開していた一方の端板を組み立てるといったことができないといった問題があった。また、物品の取り出しに際しても、内容積一杯の物品が入った状態で容器を展開し、その後取り出すといったことができないといった問題があった。
【０００７】
また、容器の組立時、端板を容器の内方側から外方側に押圧しながら側板に係合させる必要があることから、組立の自動化が困難であるといった問題もあった。
【０００８】
また、組み立てた容器の内部に物品を収納して多数個を上下に積み重ねた場合、Ｕ字状のヒンジ部には直接力が加わらず、側板及び端板の上下の端面にのみ力（荷重）が加わるようになっている。ところが、トラック等での輸送時、内容物の移動等により側板若しくは端板に内圧（内側から外側への圧力）を受けた場合、側板若しくは端板の中央部において外側への膨れ（位置ずれ）を起こし、Ｕ字状のヒンジ部に直接荷重がかかって、ヒンジ部の破損や荷崩れを生じるといった問題があった。
【０００９】
本発明はこのような問題点を解決すべく創案されたもので、その目的は、パレタイザ等の自動化機器での取り扱いが可能であり、底面に内容積一杯の物品を置いた状態で容器の組み立てと展開とが可能であり、多数個を上下に積み重ねた状態で、最下段の容器の側板若しくは端板に内圧を受けた場合でもヒンジ部の破損や荷崩れを生じることのない展開可能な組立容器及び組立容器の係止構造を提供することにある。
【００１０】
【課題を解決するための手段】
上記課題を解決するため、本発明の展開可能な組立容器は、方形状の底板の対向する側縁部にヒンジ部を介して１対の側板がそれぞれ外方側に展開可能に取り付けられるとともに、前記底板の対向する他の側縁部にヒンジ部を介して１対の端板がそれぞれ外方側に展開可能に取り付けられた構造の組立容器において、前記側板の左右の側端面の上端部のそれぞれに係止爪が形成されるとともに、前記端板の左右の側縁部の上端位置に前記係止爪に係止する係止片が係脱機構部を介して係脱可能に取り付けられ、前記係脱機構部は、前記端板の外面側の上部位置において上下方向に一定幅で摺動可能に取り付けられた摺動部材と、この摺動部材の左右両端部に形成された前記係止片と、前記摺動部材を上方に付勢する弾性部材とで構成されるとともに、これら摺動部材、係止片及び弾性部材が樹脂部材によって一体形成されており、展開した状態から前記両側板及び前記両端板をほぼ垂直まで立て起こした状態で、前記側板の左右の側端面と前記端板の左右の側縁部とがそれぞれ当接するとともに、この状態で前記側板に形成された係止爪に前記端板に形成された係止片が係合する一方、前記摺動部材を前記弾性部材の弾性力に抗して下方に摺動させることによって、前記各係止片と前記両側板のそれぞれに形成された係止爪との係合が解除されるものである。また、本発明の展開可能な組立容器は、前記側板の左右の側端面に外方に突出する第１の嵌合突起部が形成されるとともに、前記端板の左右の側縁部に前記第１の嵌合突起部に嵌合する第１の嵌合溝部が形成され、展開した状態から前記両側板及び前記両端板をほぼ垂直まで立て起こした状態で、前記側板に形成された第１の嵌合突起部が前記端板に形成された第１の嵌合溝部に嵌合するものである。
【００１１】
また、本発明の展開可能な組立容器は、方形状の底板の対向する側縁部にヒンジ部を介して１対の側板がそれぞれ外方側に展開可能に取り付けられるとともに、前記底板の対向する他の側縁部にヒンジ部を介して１対の端板がそれぞれ外方側に展開可能に取り付けられた構造の組立容器において、前記側板の左右の側端面の上端部のそれぞれに係止爪が形成されるとともに、前記端板の左右の側縁部の上端位置に前記係止爪に係止する係止片が係脱機構部を介して係脱可能に取り付けられ、前記係脱機構部は、前記端板の外面側の上部位置における左右方向の中央部で固定されるとともに、この固定部にそれぞれ弾性部材を介して連接された左側摺動部材及び右側摺動部材と、これら左側摺動部材及び右側摺動部材の左側端部及び右側端部にそれぞれ一体的に形成された前記係止片とで形成され、展開した状態から前記両側板及び前記両端板をほぼ垂直まで立て起こした状態で、前記側板の左右の側端面と前記端板の左右の側縁部とがそれぞれ当接するとともに、この状態で前記側板に形成された係止爪に前記端板に形成された係止片が係合する一方、前記左側摺動部材及び右側摺動部材を前記各弾性部材の弾性力に抗して前記固定部側にそれぞれ摺動させることによって、前記各係止片と前記両側板に形成された係止爪との係合がそれぞれ解除されるものである。
【００１２】
また、本発明の展開可能な組立容器は、前記ヒンジ部に連なる前記底板の各側縁部に上方に開口した第２の嵌合溝部が形成されるとともに、前記ヒンジ部に連なる前記各側板及び端板のそれぞれの下端面であって前記第２の嵌合溝部に対向する位置に第２の嵌合突起部が形成され、展開した状態から前記両側板をほぼ垂直まで立て起こし、この両側板の下端面に形成された第２の嵌合突起部を前記底板に形成された第２の嵌合溝部に嵌合して起立させ、この状態で前記端板をほぼ垂直まで立て起こし、この両端板の下端面に形成された第２の嵌合突起部を前記底板に形成された第２の嵌合溝部に嵌合して起立させるものである。また、本発明の展開可能な組立容器は、前記底板の下面外周部に、容器として組み立てたときの前記側板及び端板の各上端部を嵌合する第３の嵌合溝部が形成されたものである。
【００１３】
また、本発明の組立容器の係止構造は、方形状の底板と、この底板の対向する側縁部に設けられた一対の側板と、前記底板の対向する他の側縁部に設けられた一対の端板とからなる組立容器における前記側板と前記端板との係止構造であって、前記側板の左右の側端面の上端部のそれぞれに係止爪が形成されるとともに、前記端板の左右の側縁部の上端位置に前記係止爪に係止する係止片が係脱機構部を介して係脱可能に取り付けられ、前記係脱機構部は、前記端板の外面側の上部位置において上下方向に一定幅で摺動可能に取り付けられた摺動部材と、この摺動部材の左右両端部に一体的に形成された前記係止片と、前記摺動部材を上方に付勢する弾性部材とで構成されるとともに、これら摺動部材、係止片及び弾性部材が樹脂部材によって一体形成されており、前記側板の左右の側端面と前記端板の左右の側縁部とがそれぞれ当接した状態において、前記側板に形成された係止爪に前記端板に形成された係止片が係合する一方、前記摺動部材を前記弾性部材の弾性力に抗して下方に摺動させることによって、前記各係止片と前記両側板のそれぞれに形成された係止爪との係合が解除されるものである。また、本発明の組立容器の係止構造は、前記側板の左右の側端面に外方に突出する第１の嵌合突起部が形成されるとともに、前記端板の左右の側縁部に前記第１の嵌合突起部に嵌合する第１の嵌合溝部が形成され、前記側板の左右の側端面と前記端板の左右の側縁部とがそれぞれ当接した状態において、前記側板に形成された第１の嵌合突起部が前記端板に形成された第１の嵌合溝部に嵌合するものである。
【００１４】
また、本発明の組立容器の係止構造は、方形状の底板と、この底板の対向する側縁部に設けられた一対の側板と、前記底板の対向する他の側縁部に設けられた一対の端板とからなる組立容器における前記側板と前記端板との係止構造であって、前記側板の左右の側端面の上端部のそれぞれに係止爪が形成されるとともに、前記端板の左右の側縁部の上端位置に前記係止爪に係止する係止片が係脱機構部を介して係脱可能に取り付けられ、前記係脱機構部は、前記端板の外面側の上部位置における左右方向の中央部で固定されるとともに、この固定部にそれぞれ弾性部材を介して連接された左側摺動部材及び右側摺動部材と、これら左側摺動部材及び右側摺動部材の左側端部及び右側端部にそれぞれ一体的に形成された前記係止片とで形成され、前記側板の左右の側端面と前記端板の左右の側縁部とがそれぞれ当接した状態において、前記側板に形成された係止爪に前記端板に形成された係止片が係合する一方、前記左側摺動部材及び右側摺動部材を前記各弾性部材の弾性力に抗して前記固定部側にそれぞれ摺動させることによって、前記各係止片と前記両側板に形成された係止爪との係合がそれぞれ解除されるものである。
【００１５】
【発明の実施の形態】
以下、本発明の実施の形態について図面を参照して説明する。
【００１６】
図１は、本発明の展開可能な組立容器Ａの全体構成を示している。
【００１７】
本発明の展開可能な組立容器Ａは、方形状に形成された底板１と、この底板１の対向する側縁部にヒンジ部６，６を介して外方側に展開可能に取り付けられた１対の側板２，３と、底板１の対向する他の側縁部にヒンジ部６，６を介して外方側に展開可能に取り付けられた１対の端板４，５と、各側板２，３の上端縁２ａ，３ａにそれぞれ軸７，７を介して開閉可能に連設された蓋体８，９とで構成されている。
【００１８】
底板１の上面側の各側縁部は、各側板２，３及び各端板４，５の下端面２ｂ，３ｂ，４ｂ，５ｂが載る座面１ｎとなっており、この座面に、所定の間隔を存して複数個（本実施形態では、それぞれの側縁部に沿ってそれぞれ３個）の第２の嵌合溝部１ａ，１ａ・・・が形成されている。一方、各側縁２，３の下端面２ｂ，３ｂ及び各端板４，５の下端面４ｂ，５ｂには、第２の嵌合溝部１ａ，１ａ・・・に対向する位置にそれぞれ第２の嵌合突起部２ｃ，３ｃ，４ｃ，５ｃ・・・が形成されている。
【００１９】
また、各側板２，３の左右の側端面２ｄ，３ｄには、外方に突出する第１の嵌合突起部２ｅ，３ｅ・・・がそれぞれ形成されており、各端板４，５の左右の側縁部４ｄ，５ｄには、各側板２，３に形成された第１の嵌合突起部２ｅ，３ｅ・・・が嵌合される第１の嵌合溝部４ｅ，５ｅ・・・が形成されている。
【００２０】
また、各側板２，３の左右の側端面２ｄ，３ｄの上端部に、係止爪２ｆ，３ｆ・・・が形成されるとともに、端板４，５の左右の側縁部４ｄ，５ｄの上端位置に、各側板２，３に形成された係止爪２ｆ，３ｆ・・・に係止する後述する係止片１１ｂ，１１ｂ・・・が係脱機構部１１を介して係脱可能に取り付けられている。各係止爪２ｆ，３ｆは、下方（組み立てた状態での方向である）に向かって開口した鉤型形状に形成されている。
【００２１】
図２及び図３は、例えば側板２の下端面２ｂに形成された第２の嵌合突起部２ｃと、底板１の対向する側縁部（座面）１ｎに形成された第２の嵌合溝部１ａとの嵌合関係を示す要部縦断面部であり、図２は側板２を展開して嵌合関係が解除されている状態、図３は側板２を起立させて第２の嵌合突起部２ｃを第２の嵌合溝部１ａに嵌合している状態を示している。なお、第２の嵌合溝部１ａは、凹み溝状であってもよいし、貫通した穴であってもよい。
【００２２】
また、底板１の下面外周部には、別の容器Ａ′を組み立てたときの各側板２，３の上端縁２ａ，３ａに形成された軸７，７を回動中心軸とするヒンジ機構部２ｇ，３ｇ、及び各端板４，５の各上端縁４ａ，５ａに形成された第３の嵌合突起部４ｆ，５ｆに嵌合する第３の嵌合溝部１ｂが形成されている。この第３の嵌合溝部１ｂの内形状は、ヒンジ機構部２ｇ，３ｇ及び第３の嵌合突起部４ｆ，５ｆの外形状にほぼ一致する形状となっている〔図４（ａ），（ｂ）参照〕。
【００２３】
また、ヒンジ部６は、図３に示すように、容器Ａを地面Ｇに載置したとき、第３の嵌合溝部１ｂが足代わりとなって、地面Ｇより若干高い位置（若干浮いた位置）に形成されている。そのため、地面Ｇに載置した容器Ａを引きずったりした場合でも、ヒンジ部６が地面Ｇに直接接触することがないので、磨耗等によってヒンジ部６が破損するといった心配はない。
【００２４】
図５は、端板４の側縁部４ｄに形成された第１の嵌合溝部４ｅと、側板３の側端面３ｄに形成された第１の嵌合突起部３ｅとの嵌合関係を示す要部横断面図である。
【００２５】
図６ないし図１１は、端板４，５の左右の側縁部４ｄ，５ｄの上端位置に取り付けられた係止片１１ｂ，１１ｂ・・・を有する係脱機構部１１の構造を示しており、図６は端板４に取り付けられた係脱機構部１１の斜視図、図７は図６の要部横断面図、図８及び図９は端板４に取り付けた係脱機構部１１の要部縦断面図、図１０は端板４に取り付けた係脱機構部１１の係止片１１ｂと側板３の側端面３ｄに形成した係止爪３ｆとの係脱関係のみを示す要部斜視図、図１１は各係止爪３ｆと係止片１１ｂとの係脱関係の説明図である。他の部分の係脱関係もこれらと同様であることは言うまでもない。
【００２６】
すなわち、係脱機構部１１は、端板４の外面側の上部位置に形成された横長の係脱機構収納部４ｇに嵌め込まれる形で端板４に取り付けられており、この係脱機構収納部４ｇ内を上下方向に一定幅Ｌ１で摺動する摺動部材１１ａと、この摺動部材１１ａの左右両端部に形成された係止片１１ｂ，１１ｂと、摺動部材１１ａを上方に付勢する弾性部材１１ｃ，１１ｃとで形成されている。
【００２７】
係止片１１ｂは、主に図７に示すように、端板４の両側縁部４ｄに形成された貫通孔４ｉを通って外側方に突出している。また、摺動部材１１ａの裏面側の左右両側部には、鉤形に形成された掛止爪１１ｍ，１１ｍがそれぞれ形成されており、これら掛止爪１１ｍ，１１ｍは、端板４の内面側の左右両側部に形成されたスリット状の掛止溝部４ｍ，４ｍに摺動可能に嵌め込まれている。つまり、係脱機構部１１は、掛止爪１１ｍ，１１ｍが端板４の掛止溝部４ｍ，４ｍに掛止されるとともに、係止片１１ｂ，１１ｂが端板４の貫通孔４ｉ，４ｉに挿入されることによって、係脱機構収納部４ｇ内に嵌め込まれた形で上下方向に摺動可能に保持される。
【００２８】
また、摺動部材１１ａには、その中央部に指等をかけて下方に摺動させるための指掛け片１１ｄが形成されており、この指掛け片１１ｄの両外側に、くの字状に屈曲された板状体の弾性部材１１ｃ，１１ｃが設けられている。この弾性部材１１ｃ，１１ｃの屈曲先端部１１ｅ，１１ｅは、端板４の係脱機構収納部４ｇの下面４ｈに当接している。そのため、この弾性部材１１ｃ，１１ｃの弾性力（この場合は弾発力）によって、摺動部材１１ａは係脱機構収納部４ｇ内で常に上方に押し上げられた状態（図６及び図８に示す状態）となっている。
【００２９】
また、この状態では、図１０に示すように係止片１１ｂも上方に押し上げられた状態となっており、側板３の側端面３ｄの上端部に形成された係止爪３ｆに係止された状態となっている。一方、指掛け片１１ｄに指等を掛けて、摺動部材１１ａを弾性部材１１ｃ，１１ｃの弾性力（弾発力）に抗して下方に摺動させると（図９に示す状態）、係止片１１ｂも下方に押し下げられ、側板３の側端面３ｄの上端部に形成された係止爪３ｆから外れるようになっている。この関係は、他方の係止片１１ｂと他方の側板２の側端面２ｄの上端部に形成された係止爪２ｆとについても同様である。
【００３０】
なお、本実施形態では、底板１、側板２，３、端板４，５及びヒンジ部６は合成樹脂による一体成形によって形成されている。また、係脱機構部１１は合成樹脂による一体成形によって形成されている。
【００３１】
また、各側板２，３の左右の側端面２ｄ，３ｄに形成された係止爪２ｆ，３ｆ及び第１の嵌合突起部２ｅ，３ｅが請求項１に記載の係合部に相当し、各端板４，５の左右の側縁部４ｄ，５ｄに形成された第１の嵌合溝部４ｅ，５ｅ及び係脱機構部１１の係止片１１ｂが請求項１に記載の被係合部に相当している。
【００３２】
次に、上記構成の組立容器Ａを、図１に示す展開状態から順次組み立てていく手順について説明する。
【００３３】
まず、平板状に展開した図１（ただし、実際には偏平な状態まで展開されている）に示す状態から、各ヒンジ部６，６を介して両側板２，３をほぼ垂直まで立て起こし、この両側板２，３の下端面２ｂ，３ｂに形成された第２の嵌合突起部２ｃ，３ｃ・・・を底板１の対応する側縁部（座面）１ｎに形成された対向する第２の嵌合溝部１ａ，１ａ・・・に嵌合して起立させる。このとき、両側板２，３の下端面２ｂ，３ｂが底板１の対応する側縁部（座面）１ｎに当接するため、両側板２，３はこれ以上内側へは倒れない。この組立途中の容器Ａの状態を図１２に示す。この場合、図３に示すように、両側板２，３の下端面２ｂ，３ｂに形成された第２の嵌合突起部２ｃ，３ｃ・・・が底板１に形成された第２の嵌合溝部１ａ，１ａ・・・に嵌まり合っていることから、両側板２，３は起立状態で保持されており、多少の力が横方向から働いても、両側板２，３が開く（倒れる）ことはない。
【００３４】
次に、この状態で両端板４，５をほぼ垂直まで立て起こし、この両端板４，５の下端面４ｂ，５ｂに形成された第２の嵌合突起部４ｃ，５ｃ・・・を底板１の対応する側縁部（座面）１ｎに形成された第２の嵌合溝部１ａ，１ａ・・・に嵌合して起立させる（図３参照）。このとき、両端板４，５の下端面４ｂ，５ｂが底板１の対応する側縁部（座面）１ｎに当接するとともに、両端板４，５の左右の側縁部４ｄ，５ｄが両側板２，３の左右の側端面２ｄ，３ｄに当接するため、両端板４，５はこれ以上内側へは倒れない。またこのとき、各側板２，３の各側端面２ｄ，３ｄに形成された第１の嵌合突起部２ｅ，３ｅが各端板４，５の対応する各側縁部４ｄ，５ｄに形成された第１の嵌合溝部４ｅ，５ｅ・・・に嵌合する（図５参照）とともに、両側板２，３に形成された各係止爪２ｆ，３ｆに、両端板４，５の対応する各側縁部４ｄ，５ｄに設けられた係止片１１ｂ，１１ｂが係合する（図１０参照）。
【００３５】
すなわち、各係止片１１ｂは、図１１に示すように矢符Ｘ方向に押し込まれると、まず係止爪３ｆ（２ｆ）の傾斜面３ｐ（２ｐ）に係止片１１ｂの傾斜面（スライド面）１１ｐが当接し、係止片１１ｂの傾斜面１１ｐが係止爪３ｆ（２ｆ）の傾斜面３ｐ（２ｐ）をスライドして、係止片１１ｂ全体が図中矢符−Ｙ方向に押し下げられる。このとき、弾性部材１１ｃは、図９に示すように矢符−Ｙ方向に圧縮され、摺動部材１１ａ全体が端板４の係脱機構収納部４ｇ内を下方に押し下げられる。そして、各係止片１１ｂがさらに矢符Ｘ方向に押し込まれて係止爪３ｆ（２ｆ）を乗り越えると、こんどは圧縮された弾性部材１１ｃの弾発力（弾性復元力）によって、摺動部材１１ａ全体が端板４の係脱機構収納部４ｇ内を上方に押し上げられ、これに伴って係止片１１ｂが図１１中矢符＋Ｙ方向に押し上げられて、係止爪３ｆ（２ｆ）の溝内に嵌まり込むのである。この時点での容器Ａの組立状態を図１３に示す。ただし、図１３は、蓋体８，９を閉めた状態となっている。
【００３６】
なお、両側板２，３に形成された各係止爪２ｆ，３ｆと、摺動部材１１ａの係止片１１ｂ，１１ｂとの係合は、上記のように各係止片１１ｂ，１１ｂを各係止爪２ｆ，３ｆに強制的に押し込まなくても、摺動部材１１ａを下方に押し下げて係合させてもよい。
【００３７】
すなわち、本発明の展開可能な組立容器Ａによれば、図１３に示す状態に組み立てたとき、両側板２，３の下端面２ｂ，３ｂに形成された第２の嵌合突起部２ｃ，３ｃ・・・が、底板１に形成された第２の嵌合溝部１ａ，１ａ・・・に嵌まり込むことによって、側板２，３の位置決めが行われるとともに、内／外力による動きをくい止める働きをする。また、両端板４，５の下端面４ｂ，５ｂに形成された第２の嵌合突起部４ｃ，５ｃ・・・が、底板１に形成された第２の嵌合溝部１ａ，１ａ・・・に嵌まり込むことによって、端板４，５の位置決めが行われるとともに、内／外力による動きをくい止める働きをする。すなわち、側板２，３及び端板４，５にかかる内／外力によって、強度の弱いヒンジ部６が損傷するといったことがない。
【００３８】
また、各側板２，３の各側端面２ｄ，３ｄに形成された第１の嵌合突起部２ｅ，３ｅが各端板４，５の対応する各側縁部４ｄ，５ｄに形成された第１の嵌合溝部４ｅ，５ｅ・・・に嵌まり込むことによって、側板２，３の内／外力による動き（特に、両側端面２ｄ，２ｄ及び３ｄ，３ｄでの動き）をくい止める働きをするとともに、両側板２，３に形成された各係止爪２ｆ，３ｆに、両端板４，５の対応する各側縁部４ｄ，５ｄに設けられた係止片１１ｂ，１１ｂが係合することによって、端板４，５の内／外力による動き（特に、両側縁部４ｄ，５ｄの動き）をくい止める働きをする。すなわち、側板２，３にかかる内／外力を、側板２，３の下端面２ｂ，３ｂと両側端面２ｄ，３ｄとで強固にくい止め、端板４，５にかかる内／外力を、端板４，５の下端面４ｂ，５ｂと両側縁部４ｄ，５ｄとで強固にくい止めることができるものである。
【００３９】
さらに、このような組立容器Ａを多段に積み重ねたときには、下段の組立容器Ａの各側板２，３の上端縁２ａ，３ａに形成されたヒンジ機構部２ｇ，３ｇ及び各端板４，５の各上端縁４ａ，５ａに形成された第３の嵌合突起部４ｆ，５ｆに、上段の組立容器Ａの下面外周部に形成された第３の嵌合溝部１ｂが嵌合（外嵌）されることから〔図４（ａ），（ｂ）参照〕、側板２，３及び端板４，５にかかる内／外力を、側板２，３の上端縁２ａ，３ａ及び端板４，５の上端縁４ａ，５ａでもくい止めることができるので、内／外力に対する強度をよりアップさせることができるものである。
【００４０】
なお、蓋体８，９は、開いた状態では、図１４に示すように、各側板２，３の外面側の凹み部に納まるようになっている。そのため、側板２，３の展開時に、蓋体８，９が邪魔になるといったことがない。つまり、展開した状態で積み重ねても、蓋体８，９が無い場合と積み重ね高さが変わることはない。また、組み立てて蓋体８，９を開いて使用しているときでも、その外径寸法が蓋体８，９無しの場合と変わることはない。また、蓋体８，９の有る組立容器Ａと蓋体８，９の無い組立容器Ａとを混在させて使用する場合でも、段積み時の高さが同じであるため、不都合が生じることはない。
【００４１】
一方、組み立てられた容器Ａを展開する場合には、まず蓋体８，９を開いて側板２，３の外面側の凹み部内に添設させ（図１４に示す状態）、次に指掛け片１１ｄに指等を掛けて、摺動部材１１ａを弾性部材１１ｃ，１１ｃの弾性力（弾発力）に抗して下方に押し下げる（図９に示す状態）。すると、係止片１１ｂ，１１ｂが側板２，３の各側端面２ｄ，３ｄの上端部に形成された各係止爪２ｆ，３ｆから外れるので、この状態で両端板４，５を外方に押して展開させる（図１２に示す状態）。この後、両側板２，３を同じく外方に押して展開させると、底板１、両側板２，３及び両端板４，５が平板状に展開される。
【００４２】
なお、本発明の実施形態では、摺動部材１１ａを下方に摺動させることによって、係止片１１ｂ，１１ｂが側板２，３の各側端面２ｄ，３ｄの上端部に形成された各係止爪２ｆ，３ｆから外れるように構成している。これは、物品を収納した組立容器Ａを持ち運ぶために作業者が摺動部材１１ａに手を掛けても、両側板２，３と両端板４，５との係合が不測に外れないようにするためである。つまり、この場合には摺動部材１１ａを上方に押し上げる形となり、側板２，３の各係止爪２ｆ，３ｆから摺動部材１１ａの各係止片１１ｂ，１１ｂを外す方向とは逆方向となるからである。
【００４３】
図１５及び図１６は、本発明の展開可能な組立容器Ａの係脱機構部１２の他の実施形態を示している。
【００４４】
この係脱機構部１２は、端板４の外面側の上部位置に形成された横長の係脱機構収納部４ｇに嵌め込まれる形で端板４に取り付けられており、この係脱機構収納部４ｇ内の左右方向の中央部で固定されるとともに、この固定部１２ａにそれぞれ弾性部材１２ｂ，１２ｂを介して連接された左側摺動部材１２ｃ及び右側摺動部材１２ｄと、これら左側摺動部材１２ｃ及び右側摺動部材１２ｄの左側端部１２ｅ及び右側端部１２ｆにそれぞれ一体的に形成された係止片１２ｇ，１２ｈとで形成されている。
【００４５】
弾性部材１２ｂ，１２ｂは、くの字状に屈曲された板状体に形成されており、この弾性部材１２ｂ，１２ｂの弾性力（この場合は弾発力）によって、左側摺動部材１２ｃは左側外方（図１５中符号＋Ｒ方向）に、右側摺動部材１２ｄは右側外方（図１５中符号＋Ｓ方向）に常に付勢された状態となっている。
【００４６】
また、各係止片１２ｇ，１２ｈは、これら弾性部材１２ｂ，１２ｂの弾性力によって、端板４の両側縁部４ｄ，４ｄにそれぞれ形成された貫通孔４ｉ，４ｉ（図７参照）から外側方に突出した状態となっており、この状態で各側板２，３の各側端面２ｄ，３ｄの上端部に形成された各係止爪２ｆ，３ｆにそれぞれ係止された状態となっている。この場合、各側板２，３の各側端面２ｄ，３ｄの上端部に形成された各係止爪２ｆ，３ｆは、図１６に示すように、互いに向かい合う方向（組み立てた状態での方向である）に開口した鉤型形状に形成されている。
【００４７】
また、左側摺動部材１２ｃの弾性部材１２ｂ側の側面１２ｊ及び右側摺動部材１２ｄの弾性部材１２ｂ側の側面１２ｋが、指等を掛けて両摺動部材１２ｃ，１２ｄを固定部１２ａ側に摺動させるための指掛け片となっている。そして、この指掛け片（側面）１２ｊ，１２ｋを両側から挟むようにして引き寄せると、両摺動部材１２ｃ，１２ｄが各弾性部材１２ｂ，１２ｂの弾性力（弾発力）に抗して固定部１２ａ側（図１５中符号−Ｒ方向及び−Ｓ方向）に引き寄せられ、各側板２，３の側端面２ｄ，３ｄに形成された各係止爪２ｆ，３ｆからそれぞれ外れるようになっている。
【００４８】
その他の構成は、図１ないし図１４に示したものと同様であるので、ここでは詳細な説明を省略する。
【００４９】
なお、本発明の実施形態では、各摺動部材１２ｃ，１２ｄを横方向（±Ｒ方向及び±Ｓ方向）に摺動させることによって、係止片１２ｇ，１２ｈが側板２，３の各側端面２ｄ，３ｄに形成された各係止爪２ｆ，３ｆから外れるように構成しているので、物品を収納した組立容器Ａを持ち運ぶために作業者が摺動部材１２ａに手を掛けても、側板２，３の各係止爪２ｆ，３ｆから各摺動部材１２ｃ，１２ｄの各係止片１２ｇ，１２ｈが外れるといったことはない。
【００５０】
【発明の効果】
本発明の展開可能な組立容器は、方形状の底板の対向する側縁部にヒンジ部を介して１対の側板がそれぞれ外方側に展開可能に取り付けられるとともに、前記底板の対向する他の側縁部にヒンジ部を介して１対の端板がそれぞれ外方側に展開可能に取り付けられた構造の組立容器において、前記側板の左右の側端面の上端部のそれぞれに係止爪が形成されるとともに、前記端板の左右の側縁部の上端位置に前記係止爪に係止する係止片が係脱機構部を介して係脱可能に取り付けられ、前記係脱機構部は、前記端板の外面側の上部位置において上下方向に一定幅で摺動可能に取り付けられた摺動部材と、この摺動部材の左右両端部に形成された前記係止片と、前記摺動部材を上方に付勢する弾性部材とで構成されるとともに、これら摺動部材、係止片及び弾性部材が樹脂部材によって一体形成されており、展開した状態から前記両側板及び前記両端板をほぼ垂直まで立て起こした状態で、前記側板の左右の側端面と前記端板の左右の側縁部とがそれぞれ当接するとともに、この状態で前記側板に形成された係止爪に前記端板に形成された係止片が係合する一方、前記摺動部材を前記弾性部材の弾性力に抗して下方に摺動させることによって、前記各係止片と前記両側板のそれぞれに形成された係止爪との係合が解除されるように構成している。また、本発明の組立容器の係止構造は、方形状の底板と、この底板の対向する側縁部に設けられた一対の側板と、前記底板の対向する他の側縁部に設けられた一対の端板とからなる組立容器における前記側板と前記端板との係止構造であって、前記側板の左右の側端面の上端部のそれぞれに係止爪が形成されるとともに、前記端板の左右の側縁部の上端位置に前記係止爪に係止する係止片が係脱機構部を介して係脱可能に取り付けられ、前記係脱機構部は、前記端板の外面側の上部位置において上下方向に一定幅で摺動可能に取り付けられた摺動部材と、この摺動部材の左右両端部に一体的に形成された前記係止片と、前記摺動部材を上方に付勢する弾性部材とで構成されるとともに、これら摺動部材、係止片及び弾性部材が樹脂部材によって一体形成されており、前記側板の左右の側端面と前記端板の左右の側縁部とがそれぞれ当接した状態において、前記側板に形成された係止爪に前記端板に形成された係止片が係合する一方、前記摺動部材を前記弾性部材の弾性力に抗して下方に摺動させることによって、前記各係止片と前記両側板のそれぞれに形成された係止爪との係合が解除されるように構成している。つまり、側板及び端板を垂直状態より内側（底板側）に倒さなくても容器を組み立てることができるので、例えば底板上に内容積一杯の物品を置いた状態で容器を組み立てることができるとともに、一方の端板を展開した状態で、物品をその展開した端板側から押し込んだ後、展開していた一方の端板を組み立てるといったことが可能となる。また、物品の取り出しに際しても、内容積一杯の物品が入った状態で容器を展開し、その後取り出すといったことが可能となる。また、係脱機構部を、端板の外面側の上部位置において上下方向に一定幅で摺動可能に取り付けられた摺動部材と、この摺動部材の左右両端部に一体的に形成された係止片と、摺動部材を上方に付勢する弾性部材とで形成し、摺動部材を弾性部材の弾性力に抗して下方に摺動させることによって、各係止片と両側板のそれぞれに形成された係止爪との係合を解除するすように構成したので、物品を収納した組立容器を持ち運ぶために作業者が摺動部材に手を掛けても、両側板と両端板との係合が不測に外れるといったことがない。さらに、摺動部材を弾性部材の弾性力に抗して下方に摺動させることによって、各係止片と両側板のそれぞれに形成された係止爪との係合を解除するすように構成したので、物品を収納した組立容器を持ち運ぶために作業者が摺動部材に手を掛けても、両側板と両端板との係合が不測に外れるといったことがない。
【００５１】
また、本発明の展開可能な組立容器及び組立容器の係止構造によれば、係脱機構部を、端板の外面側の上部位置における左右方向の中央部で固定されるとともに、この固定部にそれぞれ弾性部材を介して連接された左側摺動部材及び右側摺動部材と、これら左側摺動部材及び右側摺動部材の左側端部及び右側端部にそれぞれ一体的に形成された係止片とで形成し、左側摺動部材及び右側摺動部材を各弾性部材の弾性力に抗して固定部側にそれぞれ摺動させることによって、各係止片と両側板に形成された係止爪との係合をそれぞれ解除するように構成したので、物品を収納した組立容器を持ち運ぶために作業者が摺動部材に手を掛けても、両側板と両端板との係合が不測に外れるといったことがない。
【００５４】
また、本発明の展開可能な組立容器及び組立容器の係止構造によれば、ヒンジ部に連なる底板の各側縁部に上方に開口した第２の嵌合溝部が形成されるとともに、ヒンジ部に連なる各側板及び端板のそれぞれの下端面であって第２の嵌合溝部に対向する位置に第２の嵌合突起部が形成され、展開した状態から両側板をほぼ垂直まで立て起こし、この両側板の下端面に形成された第２の嵌合突起部を底板に形成された第２の嵌合溝部に嵌合して起立させ、この状態で端板をほぼ垂直まで立て起こし、この両端板の下端面に形成された第２の嵌合突起部を底板に形成された第２の嵌合溝部に嵌合して起立させる構成としている。つまり、両側板の下端面に形成された第２の嵌合突起部が、底板に形成された第２の嵌合溝部に嵌まり込むことによって、側板の位置決めが行われるとともに、内／外力による動きをくい止める働きをし、両端板の下端面に形成された第２の嵌合突起部が、底板に形成された第２の嵌合溝部に嵌まり込むことによって、端板の位置決めが行われるとともに、内／外力による動きをくい止める働きをするので、側板及び端板にかかる内／外力によって、強度の弱いヒンジ部が損傷するといったことがない。また、各側板の各側端面に形成された第１の嵌合突起部と各端板の対応する各側縁部に形成された第１の嵌合溝部との嵌合関係と相まって、側板にかかる内／外力を、側板の下端面と両側端面とで強固にくい止め、端板にかかる内／外力を、端板の下端面と両側縁部とで強固にくい止めることができる。
【００５５】
また、本発明の展開可能な組立容器及び組立容器の係止構造によれば、底板の下面外周部に、容器として組み立てたときの側板及び端板の各上端部を嵌合する第３の嵌合溝部を形成したので、このような組立容器を多段に積み重ねたときには、下段の組立容器の各側板の上端縁に形成されたヒンジ機構部及び各端板の各上端縁に形成された第３の嵌合突起部に、上段の組立容器の下面外周部に形成された第３の嵌合溝部が嵌合（外嵌）されるため、側板及び端板にかかる内／外力を、側板の上端縁及び端板の上端縁でもくい止めることができるので、内／外力に対する強度をよりアップさせることができる。
【図面の簡単な説明】
【図１】本発明の展開可能な組立容器の展開した状態を示す斜視図である。
【図２】側板の下端面に形成された第２の嵌合突起部と、底板の対向する側縁部（座面）に形成された第２の嵌合溝部との嵌合関係を示す要部縦断面部である。
【図３】側板の下端面に形成された第２の嵌合突起部と、底板の対向する側縁部（座面）に形成された第２の嵌合溝部との嵌合関係を示す要部縦断面部である。
【図４】多段に積み重ねたときの、上段の組立容器の底板に形成された第３の嵌合溝部と、下段の組立容器の側板及び端板の上端部との嵌合状態を示す要部縦断面図である。
【図５】端板の側縁部に形成された第１の嵌合溝部と、側板の側端面に形成された第１の嵌合突起部との嵌合関係を示す要部横断面図である。
【図６】端板の左右の側縁部の上端位置に取り付けられた係止片を有する係脱機構部の構造を示す斜視図である。
【図７】図６に示す係脱機構部の要部横断面図である。
【図８】端板に取り付けられた係脱機構部の要部縦断面図である。
【図９】端板に取り付けられた係脱機構部の要部縦断面図である。
【図１０】側板に形成された係止爪と端板に取り付けられた摺動部材の係止片との係合関係を示す要部斜視図である。
【図１１】側板に形成された係止爪と端板に取り付けられた摺動部材の係止片との係合関係の説明図である。
【図１２】組立途中の容器の状態を示す斜視図である。
【図１３】組み立てた状態の容器を示す斜視図である。
【図１４】蓋体を側板の外面側の凹み部に収納した状態を示す要部縦断面図である。
【図１５】本発明の展開可能な組立容器の係脱機構部の他の実施形態を示す斜視図である。
【図１６】側板に形成された係止爪と端板に取り付けられた摺動部材の係止片との係合関係を示す要部斜視図である。
【符号の説明】
Ａ  容器（組立容器）
１  底板
１ａ  第２の嵌合溝部
２，３  側板
２ｃ，３ｃ  第２の嵌合突起部
２ｅ，３ｅ  第１の嵌合突起部
２ｆ，３ｆ  係止爪
４，５  端板
４ｃ，５ｃ  第２の嵌合突起部
４ｅ，５ｅ  第１の嵌合溝部
４ｆ，５ｆ  第３の嵌合溝部
６  ヒンジ部
８，９  蓋体
１１，１２  係脱機構部
１１ａ  摺動部材
１１ｂ，１１ｂ  係止片
１１ｃ，１１ｃ１２ｂ，１２ｂ  弾性部材
１２ａ  固定部
１２ｃ  左側摺動部材
１２ｄ  右側摺動部材
１２ｇ，１２ｈ  弾性部材
【図１】
0003805462.tif 000002
【図２】
0003805462.tif 000003
【図３】
0003805462.tif 000004
【図４】
0003805462.tif 000005
【図５】
0003805462.tif 000006
【図６】
0003805462.tif 000007
【図７】
0003805462.tif 000008
【図８】
0003805462.tif 000009
【図９】
0003805462.tif 000010
【図１０】
0003805462.tif 000011
【図１１】
0003805462.tif 000012
【図１２】
0003805462.tif 000013
【図１３】
0003805462.tif 000014
【図１４】
0003805462.tif 000015
【図１５】
0003805462.tif 000016
【図１６】
0003805462.tif 000017